(57)【要約】      （修正有）【課題】水に浮遊可能な浮き枕であって、緊急時にすばやく体に取り付けることができる浮き枕を提供する。【解決手段】少なくとも枕本体内部に発泡スチレンビーズを内包する浮力材内蔵袋を設け、この枕本体に首及び／又は腰に緊急時にすばやく体に巻き付けて固定する輪っか状のベルトを設けた浮き枕とした。【選択図】図１
2019042452.tif 000002
【特許請求の範囲】
【請求項１】
少なくとも枕本体内部に発泡スチレンビーズを内包する浮力材内蔵袋を設け、この枕本体に首及び／又は腰に緊急時にすばやく体に巻き付けて固定する輪っか状のベルトを設けた浮き枕。
【請求項２】
前記枕本体内部に、発泡スチレンビーズを内包する浮力材内蔵袋とプラスティックチューブを内蔵する高さ保持材内蔵袋とを設けた請求項１記載の浮き枕。
【請求項３】
前記発泡スチレンビーズの平均径が０．２〜６ｍｍである請求項１又は請求項２記載の浮き枕。
【請求項４】
前記高さ保持材が直径２〜７ｍｍ、厚み０．０５〜１．５ｍｍ、幅３〜９ｍｍのプラスティックチューブである請求項１乃至請求項３のいずれかに記載の浮き枕。
【請求項５】
前記枕本体にホイッスル及び／又はペンライトを設けた請求項１乃至請求項４のいずれかに記載の浮き枕。
【発明の詳細な説明】
【発明の詳細な説明】
【技術分野】
【０００１】  本発明は、通常は心地よい枕として使用できる一方、船内に海水が流れ込んだときや津波で寝室に海水が流れ込んだ睡眠中の緊急時にベルトを体にすばやく固定し浮き枕として使用できる浮き枕に関するものである。
【背景技術】
【０００２】  例えば、特許文献１において、「枕１は、枕カバー２と、枕カバー２の内部に収納される枕本体３とを備えており、枕本体３は、前身６頃と後身９頃とを備え着用可能な衣服部５と、スポンジ状の浮力発生部材１２を備えている。これによって、停電のために照明を点けることができない就寝中に津波や洪水などの警報が発令された場合でも、時間を掛けずに枕カバー２を取り外して枕本体３を救命胴衣として着用することができるので、避難に要する時間を短縮することができる枕」が記載されている。【０００３】  しかしながら、この特許文献１においては、段落［００２０］〜［００２１］に示されるよう「浮力発生部材１２の材料としては、たとえばスポンジ状のＮＢＲ（ニトリルゴム）が用いられる」旨説明されている。本発明の発泡スチレンビーズと特許文献１のニトリルゴムの相違については、発泡スチレンビーズのほうがより軽量・発泡スチレンビーズは粒状だがスポンジ状のニトリルゴムは板状などであるため頭の形に添うような流動性が無い・スポンジ状のニトリルゴムでも枕素材としては硬く、かつスポンジ状でないニトリルゴムはより硬い・発泡ビーズは粒状であり、袋への充填量により、流動性を調整できるため、やわらかさも調整することができる等の相違がある。したがって、本発明の如く、通常は心地よい枕として使用できる一方、船内に海水が流れ込んだときや津波で寝室に海水が流れ込んだ睡眠中の緊急時に前記ベルトを体にすばやく固定し浮き枕として使用できる。【０００４】  また、特許文献２には、「湯船に浮かべて使用するまくらであって、湯船のお湯の温度を測定する温度センサ３と、お湯の温度の値に対応した入浴時間を記憶するメモリ１ｂと、入浴者の装着を検出するボタン５と、入浴時間をカウントするタイマー１ａと、警報音を報知するスピーカ４と、入浴者の装着を検出すると、温度センサ３で測定されたお湯の温度の値を入力し、当該温度の値に対応する入浴時間をメモリ１ｂから読み込み、タイマー１ａを動作させ、タイマー１ａがカウントして当該入浴時間が満了すると、スピーカ４を動作させて警報音を報知する制御部１とを有する温泉まくらである」が記載されている。【０００５】  しかしながら、この特許文献２においては、段落［００２８］の通り本体１０は空気で膨らましお湯に浮かせるものであって、突起物等で破損すれば再生が難しい。ベッドで使用して頸椎を保持する枕形状ではない。したがって、本発明の如く通常は心地よい枕として使用できる一方、船内に海水が流れ込んだときや津波で寝室に海水が流れ込んだ睡眠中の緊急時に前記ベルトを体にすばやく固定し浮き枕として使用できる。【０００６】
【特許文献１】特開２０１５−０５１２３９号公報
【特許文献２】特開２００６−３０５２２０号公報、
【発明が解決しようとする課題】
【０００７】  本発明は、水に浮遊可能な浮き枕であって、緊急時にすばやく体に取り付けることができる浮き枕が望まれる。
【課題を解決する手段】
【０００８】  請求項１の発明は、少なくとも枕本体内部に発泡スチレンビーズを内包する浮力材内蔵袋を設け、この枕本体に首及び／又は腰に緊急時にすばやく体に巻き付けて固定する輪っか状のベルトを設けた浮き枕を提供するものである。
【０００９】  この発明においては、枕本体内部に発泡スチレンビーズを内包する浮力材内蔵袋を設けたので、気泡を含ませたポリスチレン（約９８％は空気）は弾力性があり軽量で衝撃吸収性に優れた安価な浮き枕が得られる。また、発泡スチレンビーズは粒状であるため流動性により頭の形に微妙に添うように枕形状が調整できる。また、浮力材内蔵袋の発泡スチレンビーズの充填量を変えることにより枕の高さ調整も自在に変更できる。さらに、枕本体に首及び／又は腰に緊急時にすばやく体に巻き付けて固定する輪っか状のベルトを設けたので、緊急時にすばやく体に取り付けることができる。したがって、通常は心地よい枕として使用できる一方、船内に海水が流れ込んだときや津波で寝室に海水が流れ込んだ睡眠中の緊急時に前記ベルトを体にすばやく固定し浮き枕として使用できる。
【００１０】  また、請求項２の発明は、前記枕本体内部に、発泡スチレンビーズを内包する浮力材内蔵袋とプラスティックチューブを内蔵する高さ保持材内蔵袋とを設けた請求項１記載の浮き枕を提供するものである。
【００１１】  この発明においては、前記の通り発泡スチレンビーズを内包する浮力材内蔵袋により浮遊可能な浮き枕が得られる一方、発泡スチレンビーズは柔らかすぎて熱がこもり易いため、枕高さを確保でき通気性の優れたプラスティックチューブを内包した高さ保持材内蔵袋を併用することにより浮力材内蔵袋の発泡スチレンビーズ及び高さ保持材内蔵袋のプラスティックチューブの各充填量により流動性を調整してより適切な枕形状が保たれる浮き枕を提供することができる。
【００１２】  また、請求項３の発明は、前記発泡スチレンビーズの平均径が０．２〜６ｍｍである請求項１又は請求項２記載の浮き枕を提供するものである。
【００１３】  この発明においては、発泡スチレンビーズの平均径は０．２〜６ｍｍである。この平均粒径範囲外のものは市販されているが、範囲外のものを製造すると加工装置が大掛かりとなり安価に得ることができない。また、平均径が０．２ｍｍ未満であると流動性がなくなり枕が硬くなり過ぎ、６ｍｍを超えるとへたりやすく耐久性が無くなり、また、粒が大きく感触が悪い枕となる。
【００１４】  また、請求項４の発明は、前記高さ保持材が直径２〜７ｍｍ、厚み０．０５〜１．５ｍｍ、幅３〜９ｍｍのプラスティックチューブである請求項１乃至請求項３のいずれかに記載の浮き枕を提供するものである。
【００１５】  この発明においては、発泡スチレンビーズに比べ、熱がこもりにくく、通気性が良く蒸れにくい枕となり、また、発泡スチレンビーズが散らばりやすく取り扱いが困難であるのと比較して、プラスティックチューブは量を調節する際に散らばりにくく取り扱いが容易である枕とすることができる。
【００１６】  また、請求項５の発明は、前記枕本体にホイッスル及び／又はペンライトを設けた請求項１乃至請求項４のいずれかに記載の浮き枕を提供するものである。
【００１７】  この発明においては、ホイッスル及び／又はペンライトを常時携帯して夜間等救助に来た人達に居場所を知らせることができ、ペンライトにより周囲の状況や落し物を容易に見つけることができる。
【発明を実施するための形態】
【００１８】  以下に本発明の一実施形態を図面に基づき説明する。
【００１９】  図１、図２、図３、図５及び図６に示す如く、チャックで開封する枕本体１内部に発泡スチレンビーズＢを内包する浮力材内蔵袋２・・・を設け、この枕本体１に人体の首及び／又は腰に緊急時にすばやく体に巻き付けて固定する輪っか状のベルト４，５を設けている。
【００２０】  枕本体１内部に発泡スチレンビーズＢを内包する浮力材内蔵袋２・・・を設けたので、気泡を含ませたポリスチレン（約９８％は空気）は弾力性があり軽量で衝撃吸収性に優れた安価な浮き枕が得られる。また、図３に示す発泡スチレンビーズＢは粒状であるため流動性により頭の形に微妙に添うように枕形状が調整できる。また、浮力材内蔵袋２の発泡スチレンビーズＢの充填量を変えることにより枕の高さ調整も自在に変更できる。浮力材内蔵袋２は内部の発泡スチレンビーズＢが外部へ飛び散らないように充填量を調整した後縫い合わせてある。さらに、枕本体１に首及び／又は腰に緊急時にすばやく体に巻き付けて固定する輪っか状のベルト４，５を設けたので、緊急時にすばやく体に取り付けることができる。図６は人体に見立てた椅子の背もたれに掛けた状態をしめしているが、実際は上部のベルト４が首、下部のベルトが腰に巻き付けて固定する。ベルト４，５は長さを絞って人体固定できるようにしている。したがって、通常は心地よい枕として使用できる一方、船内に海水が流れ込んだときや津波で寝室に海水が流れ込んだ睡眠中の緊急時に前記ベルトを体にすばやく固定し浮き枕として使用できる。図３に示す如く、前記発泡スチレンビーズの平均径は０．２〜６ｍｍである。好ましくは０．５〜５ｍｍである。さらに好ましくは０．８〜３ｍｍである。
【００２１】  図１、図２、図４、図５に示す如く、前記枕本体１内部に、発泡スチレンビーズＢを内包する浮力材内蔵袋を設ける一方、図４に示すプラスティックチューブＰを内蔵する高さ保持材内蔵袋３とを設けている。
【００１１】  前記の通り発泡スチレンビーズＢを内包する浮力材内蔵袋２により浮遊可能な浮き枕が得られる一方、発泡スチレンビーズＢは柔らかすぎて熱がこもり易いため、枕高さを確保でき通気性の優れたプラスティックチューブＰを内包した高さ保持材内蔵袋３を併用している。浮力材内蔵袋２の発泡スチレンビーズＢ及び高さ保持材内蔵袋３のプラスティックチューブＰの各充填量を変えることにより流動性を調整してより適切な弾力と高さ枕形状が保たれた浮き枕を提供することができる。高さ保持材内蔵袋３は内部のプラスティックチューブファスナーの量を調整できるようにファスナーで開閉することができる。前記高さ保持材が直径２〜７ｍｍ、厚み０．０５〜１．５ｍｍ、幅３〜９ｍｍのプラスティックチューブである。好ましくは、直径４〜６ｍｍ、厚み０・１〜０・５ｍｍ、幅５〜７ｍｍのプラスティックチューブである。
【００２１】  さらに、図７に示す如く、前記枕本体１の上部の袋６にホイッスル７及びペンライト８を設けている。これらホイッスル７及びペンライト８は、常時携帯して夜間等救助に来た人達に居場所を知らせることができ、ペンライトにより周囲の状況や海上の紛失物を容易に見つけることができる。
【発明の効果】
【００２２】  上記の如く本発明においては、枕本体内部に発泡スチレンビーズを内包する浮力材内蔵袋を設けたので、弾力性があり軽量で衝撃吸収性に優れた安価な浮き枕が得られる。また、発泡スチレンビーズは粒状であるため流動性により頭の形に微妙に添うように枕形状が調整できる。また、浮力材内蔵袋の発泡スチレンビーズの充填量を変えることにより枕の高さ調整も自在に変更できる。さらに、枕本体に首及び／又は腰に緊急時にすばやく体に巻き付けて固定する輪っか状のベルトを設けたので、緊急時にすばやく体に取り付けることができる。したがって、通常は心地よい枕として使用できる一方、船内に海水が流れ込んだときや津波で寝室に海水が流れ込んだ睡眠中の緊急時に前記ベルトを体にすばやく固定し浮き枕として使用できる。
【００１１】  また、前記の通り発泡スチレンビーズを内包する浮力材内蔵袋により浮遊可能な浮き枕が得られる一方、発泡スチレンビーズは柔らかすぎて熱がこもり易いため、枕高さを確保でき通気性の優れたプラスティックチューブを内包した高さ保持材内蔵袋を併用することにより浮力材内蔵袋の発泡スチレンビーズ及び高さ保持材内蔵袋のプラスティックチューブの各充填量により流動性を調整してより適切な枕形状が保たれる浮き枕を提供することができる。
【００１３】  また、発泡スチレンビーズの平均径は０．２〜６ｍｍである。この平均粒径範囲外のものは市販されているが、範囲外のものを製造すると加工装置が大掛かりとなり安価に得ることができない。
【００１５】  この発明においては、発泡スチレンビーズに比べ、熱がこもりにくく、通気性が良く蒸れにくい枕となり、また、発泡スチレンビーズが散らばりやすく取り扱いが困難であるのと比較して、プラスティックチューブは量を調節する際に散らばりにくく取り扱いが容易である枕とすることができる。
【００１７】  さらに、ホイッスル及びペンライトを常時携帯して夜間等救助に来た人達に居場所を知らせることができ、ペンライトにより周囲の状況や紛失物を容易に見つけることができる。
【図面の簡単な説明】
【００２５】
【図１】  枕本体の平面図．
【図２】  枕本体内部に浮力材内蔵袋と高さ保持材内蔵袋とを併設した状態図。
【図３】  浮力材内蔵袋の発泡スチレンビーズ（ビニール袋に入れられたサンプル）。
【図４】  高さ保持材内蔵袋から排出した状態を示すプラスティックチューブ。
【図５】  枕本体内に浮力材内蔵袋と高さ保持材内蔵袋を挿入する状態を示す。
【図６】  人体に見立てた椅子の背に枕本体の上下部ベルトを掛けた状態を示す。
【図７】  ホイッスル及びペンライトを枕本体の袋から取り出した状態図。
【符号の説明】  Ｂ            発泡スチレンビーズ
Ｐ            プラスティックチューブ
１            枕本体
２            浮力材内蔵袋
３・・・      高さ保持材内蔵袋
４、５        ベルト
６            袋
７            ホイッスル
８            ペンライト
【図１】
2019042452.tif 000003
【図２】
2019042452.tif 000004
【図３】
2019042452.tif 000005
【図４】
2019042452.tif 000006
【図５】
2019042452.tif 000007
【図６】
2019042452.tif 000008
【図７】
2019042452.tif 000009